(57)【要約】【課題】通信端末間で直接に、ユーザが所望する多くの情報を送受信することを可能とする通信端末等を提供する。【解決手段】本発明に係る通信端末は、無線ＬＡＮのアクセスポイントとして機能し、所定のアプリケーションを備える通信端末であって、通信端末が所定のアプリケーションを備えることを示すアプリケーション識別子と通信端末のＩＰアドレスの情報とを含む識別情報を無線により送信する識別情報送信部と、識別情報を受信した他の通信端末からの要求に応じ、他の通信端末を無線ＬＡＮに接続させる接続処理部と、ＩＰアドレスの情報を用いて、他の通信端末とアプリケーション識別子によって示される所定のアプリケーションに関する通信を行う通信処理部と、を備える。【選択図】図１
2020150511.tif 000002
【特許請求の範囲】
【請求項１】
無線ＬＡＮのアクセスポイントとして機能し、所定のアプリケーションを備える通信端末であって、
前記通信端末が所定のアプリケーションを備えることを示すアプリケーション識別子と前記通信端末のＩＰアドレスの情報とを含む識別情報を無線により送信する識別情報送信部と、
前記識別情報を受信した他の通信端末からの要求に応じ、前記他の通信端末を前記無線ＬＡＮに接続させる接続処理部と、
前記ＩＰアドレスの情報を用いて、前記他の通信端末と前記アプリケーション識別子によって示される所定のアプリケーションに関する通信を行う通信処理部と、
を備える、通信端末。
【請求項２】
前記識別情報送信部は、前記識別情報としてＥＳＳＩＤを含むビーコンフレームを送信し、
前記接続処理部は、前記他の通信端末を前記ビーコンフレームに含まれるＥＳＳＩＤによって示される前記無線ＬＡＮに接続させる、
請求項１に記載の通信端末。
【請求項３】
前記識別情報は、前記通信端末が前記所定のアプリケーションに関する情報を受信するためのポート番号の情報をさらに含み、
前記通信処理部は、前記識別情報に含まれるポート番号の情報をさらに用いて前記他の通信端末と前記所定のアプリケーションに関する通信を行う、
請求項１又は２に記載の通信端末。
【請求項４】
前記所定のアプリケーションは、前記他の通信端末の位置情報、前記他の通信端末の周辺の環境を示す環境情報、前記他の通信端末のユーザの生体情報及び前記他の通信端末によって撮影された動画像情報の少なくとも一つの情報を含む端末関連情報を前記通信端末に表示させるためのアプリケーションであり、
前記通信処理部は、前記端末関連情報を前記他の通信端末から受信する、
請求項１−３の何れか一項に記載の通信端末。
【請求項５】
前記所定のアプリケーションは、前記他の通信端末との音声通信を前記通信端末に行わせるためのアプリケーションであり、
前記通信処理部は、前記音声通信に係る音声情報を前記他の通信端末と送受信する、
請求項１−４の何れか一項に記載の通信端末。
【請求項６】
前記識別情報送信部は、前記通信端末が前記無線ＬＡＮとは異なる他の通信方式による通信を利用可能であるか否かを判定し、
前記他の通信方式による通信が利用可能でないと判定された場合、前記識別情報を送信する、
請求項１−５の何れか一項に記載の通信端末。
【請求項７】
無線ＬＡＮのアクセスポイントとして機能し、所定のアプリケーションを備える通信端末のプログラムであって、
前記通信端末が所定のアプリケーションを備えることを示すアプリケーション識別子と前記通信端末のＩＰアドレスの情報とを含む識別情報を無線により送信し、
前記識別情報を受信した他の通信端末からの要求に応じ、前記他の通信端末を前記無線ＬＡＮに接続させ、
前記ＩＰアドレスの情報を用いて、前記他の通信端末と前記アプリケーション識別子によって示される所定のアプリケーションに関する通信を行う、
ことを前記通信端末に実行させる、プログラム。
【請求項８】
無線ＬＡＮのアクセスポイントとして機能し、所定のアプリケーションを備える通信端末による通信方法であって、
前記通信端末が所定のアプリケーションを備えることを示すアプリケーション識別子と前記通信端末のＩＰアドレスの情報とを含む識別情報を無線により送信し、
前記識別情報を受信した他の通信端末からの要求に応じ、前記他の通信端末を前記無線ＬＡＮに接続させ、
前記ＩＰアドレスの情報を用いて、前記他の通信端末と前記アプリケーション識別子によって示される所定のアプリケーションに関する通信を行う、
ことを含む、通信方法。
【請求項９】
無線ＬＡＮのステーションとして機能する通信端末であって、
他の通信端末から、前記他の通信端末が所定のアプリケーションを備えることを示すアプリケーション識別子と前記他の通信端末のＩＰアドレスの情報とを含む識別情報を無線により受信する識別情報受信部と、
前記識別情報を受信したことに応じ、前記他の通信端末に前記無線ＬＡＮによる接続を要求する接続要求部と、
前記ＩＰアドレスの情報を用いて、前記他の通信端末と前記アプリケーション識別子によって示される所定のアプリケーションに関する通信を行う通信処理部と、
を備える、通信端末。
【請求項１０】
無線ＬＡＮのステーションとして機能する通信端末のプログラムであって、
他の通信端末から、前記他の通信端末が所定のアプリケーションを備えることを示すアプリケーション識別子と前記他の通信端末のＩＰアドレスの情報とを含む識別情報を無線により受信し、
前記識別情報を受信したことに応じ、前記他の通信端末に前記無線ＬＡＮによる接続を要求し、
前記ＩＰアドレスの情報を用いて、前記他の通信端末と前記アプリケーション識別子によって示される所定のアプリケーションに関する通信を行う、
ことを前記通信端末に実行させる、プログラム。
【請求項１１】
前記所定のアプリケーションは、前記通信端末の位置情報、前記通信端末の周辺の環境を示す環境情報、前記通信端末のユーザの生体情報及び前記通信端末によって撮影された動画像情報の少なくとも一つの情報を含む端末関連情報を前記他の通信端末に表示させるためのアプリケーションであり、
前記通信することにおいて、前記端末関連情報を前記他の通信端末に送信する、
ことを前記通信端末に実行させる、請求項１０に記載のプログラム。
【請求項１２】
前記所定のアプリケーションは、前記通信端末との音声通信を前記他の通信端末に行わせるためのアプリケーションであり、
前記通信することにおいて、前記音声通信に係る音声情報を前記他の通信端末と送受信する、
ことを前記通信端末に実行させる、請求項１０又は１１に記載のプログラム。
【請求項１３】
無線ＬＡＮのアクセスポイントとして機能し、所定のアプリケーションを備える第１通信端末と前記無線ＬＡＮのステーションとして機能する第２通信端末とを含む通信システムであって、
前記第１通信端末は、
前記第１通信端末が所定のアプリケーションを備えることを示すアプリケーション識別子と前記第１通信端末のＩＰアドレスの情報とを含む識別情報を無線により送信する識別情報送信部と、
前記識別情報を受信した前記第２通信端末からの要求に応じ、前記第２通信端末を前記無線ＬＡＮに接続させる接続処理部と、
前記ＩＰアドレスの情報を用いて、前記第２通信端末と前記アプリケーション識別子によって示される所定のアプリケーションに関する通信を行う第１通信処理部と、を備え、
前記第２通信端末は、
前記第１通信端末から、前記識別情報を無線により受信する識別情報受信部と、
前記識別情報を受信したことに応じ、前記第１通信端末に前記無線ＬＡＮによる接続を要求する接続要求部と、
前記ＩＰアドレスの情報を用いて、前記第１通信端末と前記アプリケーション識別子によって示される所定のアプリケーションに関する通信を行う第２通信処理部と、を備える、
通信システム。
【発明の詳細な説明】
【技術分野】
【０００１】
本発明は、通信端末、プログラム、通信方法及び通信システムに関する。
【背景技術】
【０００２】
近年、ＥＴＷＳ（Earthquake and Tsunami Warning System）等により、移動体通信網を介して、ユーザが携帯する通信端末に緊急地震速報等の災害情報を送信することが行われている。また、このような災害情報を受信した通信端末が、位置情報等の安否確認に有用な情報を他の通信端末に送信し、その情報を他の通信端末に表示させることで、家族や友人等の安否確認や救助を可能とするサービスが提供されている。
【０００３】
しかしながら、災害の発生時には、通信需要の増加や通信設備の障害等の理由により移動体通信網が利用できず、安否確認に必要な情報の送受信ができなくなることがある。このような場合に備え、移動体通信網等の他のネットワークを介さずに、通信端末間で直接に安否確認に有用な情報の送受信を可能とする機能が望まれていた。特許文献１には、緊急地震速報を受信した場合に、救難信号であることを示す文字列をネットワーク識別子として含む無線ＬＡＮ（Local Area Network）のビーコンフレームを送信する通信端末が開示されている。
【先行技術文献】
【特許文献】
【０００４】
【特許文献１】特開２０１４−１３０５２８号公報
【発明の概要】
【発明が解決しようとする課題】
【０００５】
特許文献１に記載の通信端末は、無線ＬＡＮのネットワーク識別子に設定可能な所定長の文字列を送信し、他の通信端末においてその文字列を表示させることが可能であった。一方、通信端末が、通信端末の位置情報、ユーザの生体情報又は音声情報等を含む、より多くの情報を送信することが可能であれば、例えば、災害の発生時により正確な安否確認や迅速な救助が可能となる等、有用な用途が期待できる。したがって、通信端末間で直接に、ユーザが所望する多くの情報を送受信する機能が求められていた。
【０００６】
本発明は、上述した課題を解決するためになされたものであり、通信端末間で直接に、ユーザが所望する多くの情報を送受信することを可能とする通信端末、プログラム、通信方法及び通信システムを提供することを目的とする。
【課題を解決するための手段】
【０００７】
本発明に係る通信端末は、無線ＬＡＮのアクセスポイントとして機能し、所定のアプリケーションを備える通信端末であって、通信端末が所定のアプリケーションを備えることを示すアプリケーション識別子と通信端末のＩＰアドレスの情報とを含む識別情報を無線により送信する識別情報送信部と、識別情報を受信した他の通信端末からの要求に応じ、他の通信端末を無線ＬＡＮに接続させる接続処理部と、ＩＰアドレスの情報を用いて、他の通信端末とアプリケーション識別子によって示される所定のアプリケーションに関する通信を行う通信処理部と、を備える。
【０００８】
また、本発明に係る通信端末において、識別情報送信部は、識別情報としてＥＳＳＩＤを含むビーコンフレームを送信し、接続処理部は、他の通信端末をビーコンフレームに含まれるＥＳＳＩＤによって示される無線ＬＡＮに接続させる、ことが好ましい。
【０００９】
また、本発明に係る通信端末において、識別情報は、通信端末が所定のアプリケーションに関する情報を受信するためのポート番号の情報をさらに含み、通信処理部は、識別情報に含まれるポート番号の情報をさらに用いて他の通信端末と所定のアプリケーションに関する通信を行う、ことが好ましい。
【００１０】
また、本発明に係る通信端末において、所定のアプリケーションは、他の通信端末の位置情報、他の通信端末の周辺の環境を示す環境情報、他の通信端末のユーザの生体情報及び他の通信端末によって撮影された動画像情報の少なくとも一つの情報を含む端末関連情報を通信端末に表示させるためのアプリケーションであり、通信処理部は、端末関連情報を他の通信端末から受信する、ことが好ましい。
【００１１】
また、本発明に係る通信端末において、所定のアプリケーションは、他の通信端末との音声通信を通信端末に行わせるためのアプリケーションであり、通信処理部は、音声通信に係る音声情報を他の通信端末と送受信する、ことが好ましい。
【００１２】
また、本発明に係る通信端末において、識別情報送信部は、通信端末が無線ＬＡＮとは異なる他の通信方式による通信を利用可能であるか否かを判定し、他の通信方式による通信が利用可能でないと判定された場合、識別情報を送信する、ことが好ましい。
【００１３】
本発明に係るプログラムは、無線ＬＡＮのアクセスポイントとして機能し、所定のアプリケーションを備える通信端末のプログラムであって、通信端末が所定のアプリケーションを備えることを示すアプリケーション識別子と通信端末のＩＰアドレスの情報とを含む識別情報を無線により送信し、識別情報を受信した他の通信端末からの要求に応じ、他の通信端末を無線ＬＡＮに接続させ、ＩＰアドレスの情報を用いて、他の通信端末とアプリケーション識別子によって示される所定のアプリケーションに関する通信を行う、ことを通信端末に実行させる。
【００１４】
本発明に係る通信方法は、無線ＬＡＮのアクセスポイントとして機能し、所定のアプリケーションを備える通信端末による通信方法であって、通信端末が所定のアプリケーションを備えることを示すアプリケーション識別子と通信端末のＩＰアドレスの情報とを含む識別情報を無線により送信し、識別情報を受信した他の通信端末からの要求に応じ、他の通信端末を無線ＬＡＮに接続させ、ＩＰアドレスの情報を用いて、他の通信端末とアプリケーション識別子によって示される所定のアプリケーションに関する通信を行う、ことを含む。
【００１５】
本発明に係る通信端末は、無線ＬＡＮのステーションとして機能する通信端末であって、他の通信端末から、他の通信端末が所定のアプリケーションを備えることを示すアプリケーション識別子と他の通信端末のＩＰアドレスの情報とを含む識別情報を無線により受信する識別情報受信部と、識別情報を受信したことに応じ、他の通信端末に無線ＬＡＮによる接続を要求する接続要求部と、ＩＰアドレスの情報を用いて、他の通信端末とアプリケーション識別子によって示される所定のアプリケーションに関する通信を行う通信処理部と、を備える。
【００１６】
本発明に係るプログラムは、無線ＬＡＮのステーションとして機能する通信端末のプログラムであって、他の通信端末から、他の通信端末が所定のアプリケーションを備えることを示すアプリケーション識別子と他の通信端末のＩＰアドレスの情報とを含む識別情報を無線により受信し、識別情報を受信したことに応じ、他の通信端末に無線ＬＡＮによる接続を要求し、ＩＰアドレスの情報を用いて、他の通信端末とアプリケーション識別子によって示される所定のアプリケーションに関する通信を行う、ことを通信端末に実行させる。
【００１７】
また、本発明に係るプログラムにおいて、所定のアプリケーションは、通信端末の位置情報、通信端末の周辺の環境を示す環境情報、通信端末のユーザの生体情報及び通信端末によって撮影された動画像情報の少なくとも一つの情報を含む端末関連情報を他の通信端末に表示させるためのアプリケーションであり、通信することにおいて、端末関連情報を他の通信端末に送信する、ことを前記通信端末に実行させる、ことが好ましい。
【００１８】
また、本発明に係るプログラムにおいて、所定のアプリケーションは、通信端末との音声通信を他の通信端末に行わせるためのアプリケーションであり、通信することにおいて、音声通信に係る音声情報を他の通信端末と送受信する、ことを前記通信端末に実行させる、ことが好ましい。
【００１９】
本発明に係る通信システムは、無線ＬＡＮのアクセスポイントとして機能し、所定のアプリケーションを備える第１通信端末と無線ＬＡＮのステーションとして機能する第２通信端末とを含む通信システムであって、第１通信端末は、第１通信端末が所定のアプリケーションを備えることを示すアプリケーション識別子と通信端末のＩＰアドレスの情報とを含む識別情報を無線により送信する識別情報送信部と、識別情報を受信した第２通信端末からの要求に応じ、第２通信端末を無線ＬＡＮに接続させる接続処理部と、ＩＰアドレスの情報を用いて、第２通信端末とアプリケーション識別子によって示される所定のアプリケーションに関する通信を行う第１通信処理部と、を備え、第２通信端末は、第１通信端末から、識別情報を無線により受信する識別情報受信部と、識別情報を受信したことに応じ、第１通信端末に無線ＬＡＮによる接続を要求する接続要求部と、ＩＰアドレスの情報を用いて、第１通信端末とアプリケーション識別子によって示される所定のアプリケーションに関する通信を行う第２通信処理部と、を備える。
【発明の効果】
【００２０】
本発明に係る通信端末、プログラム、通信方法及び通信システムは、通信端末間で直接に、ユーザが所望する多くの情報を送受信することを可能とする。
【図面の簡単な説明】
【００２１】
【図１】通信システムの概要を説明するための模式図である。
【図２】通信システム１の概略構成の一例を示す図である。
【図３】第１通信端末２の概略構成の一例を示す図である。
【図４】第２通信端末３の概略構成の一例を示す図である。
【図５】（ａ）は、識別情報テーブルＴ１のデータ構造の一例を示す図であり、（ｂ）は、通信条件テーブルＴ２のデータ構造の一例を示す図である。
【図６】通信システム１による通信処理の流れの一例を示すシーケンス図である。
【図７】通信システム１による通信処理の流れの一例を示すシーケンス図である。
【図８】接続情報設定画面の一例を示す図である。
【図９】確認画面の一例を示す図である。
【図１０】端末関連情報表示画面の一例を示す図である。
【発明を実施するための形態】
【００２２】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２３】
（通信システムの概要）
図１は、本発明の一実施形態に係る通信システムの概要を説明するための模式図である。本実施形態に係る通信システムは、例えば、災害時に通信端末のユーザが他の通信端末のユーザに関する情報を取得し、他の通信端末のユーザの捜索又は安否確認をするために用いられる。
【００２４】
通信システムは、第１通信端末と、第２通信端末とを含む。第１通信端末は、捜索者であるユーザ（第１ユーザ）によって携帯され、無線ＬＡＮのアクセスポイントとして機能し（所謂「テザリング」機能を有し）、所定のアプリケーションを備える通信端末である。所定のアプリケーションは、第２通信端末に関する情報である端末関連情報を第２通信端末から直接に受信し、第１通信端末に表示させるためのアプリケーションである。端末関連情報は、例えば、第２通信端末の位置情報、第２通信端末の周辺の環境を示す環境情報、第２ユーザの生体情報又は第２通信端末によって撮影された動画像情報等である。第２通信端末は、被捜索者であるユーザ（第２ユーザ）によって携帯され、無線ＬＡＮのステーションとして機能する通信端末である。第１通信端末は、無線ＬＡＮを介して、移動体通信網等の他のネットワークやルータ等の他の通信機器を介することなく、第２通信端末との間で直接に情報を送受信する。
【００２５】
なお、本明細書において、無線ＬＡＮとは、ＩＥＥＥ  ８０２．１１ａ等の、無線によりＬＡＮを構成するための通信方式を意味するほか、その通信方式を用いて構成された特定のＬＡＮを意味することがある。また、本明細書において、無線ＬＡＮとは、特定のＢＳＳ（Basic Service Set）又はＥＳＳ（Extended Service Set）を意味することもある。
【００２６】
以下では、図１を参照して、本実施形態に係る通信システムによる処理の概要を説明する。
【００２７】
まず、第１通信端末は、第１通信端末が所定のアプリケーションを備えることを示すアプリケーション識別子と第１通信端末のＩＰアドレスの情報とを含む識別情報を無線により送信する。図１に示す例では、第１通信端末は、識別情報としてＥＳＳＩＤ（Extended Service Set Identifier）を含むビーコン（beacon）フレームを送信している。
【００２８】
第１通信端末のＩＰアドレスの情報は、第１通信端末が無線ＬＡＮを介して第２通信端末と通信を行う際に用いられるＩＰアドレスを一意に識別可能な文字列である。図１に示す例では、ＩＰアドレスの情報は、ＩＰアドレスを１０進数で表記した場合の１２桁の数字からなる文字列である。
【００２９】
第２通信端末は、第１通信端末から、識別情報を無線により受信する。
【００３０】
続いて、第２通信端末は、識別情報を受信したことに応じ、第１通信端末に無線ＬＡＮによる接続を要求する。識別情報としてＥＳＳＩＤを含むビーコンフレームを受信した場合、第２通信端末は、そのＥＳＳＩＤによって示される無線ＬＡＮに対するアソシエーション（Association）要求フレームを第１通信端末に送信することで、無線ＬＡＮによる接続を要求する。
【００３１】
第１通信端末は、識別情報を受信した第２通信端末からの要求に応じ、第２通信端末を無線ＬＡＮに接続させる。第２通信端末からアソシエーション要求を受信した場合、第１通信端末は、アソシエーション応答を送信することで、第２通信端末を無線ＬＡＮに接続させる。
【００３２】
続いて、第１通信端末は、ＩＰアドレスの情報を用いて、第２通信端末とアプリケーション識別子によって示される所定のアプリケーションに関する通信を行う。第１通信端末は、例えば、端末関連情報である位置情報を第２通信端末から受信する。
【００３３】
以上説明したように、本実施形態に係る第１通信端末は、アプリケーション識別子とＩＰアドレスの情報とを含む識別情報を無線により送信する。また、第１通信端末は、識別情報を受信した第２通信端末からの要求に応じ、第２通信端末を無線ＬＡＮに接続させ、ＩＰアドレスの情報を用いて、第２通信端末と所定のアプリケーションに関する通信を行う。このようにすることで、第１通信端末と第２通信端末との間で直接に、ユーザが所望する多くの情報を受信することが可能となる。
【００３４】
また、本実施形態に係る第２通信端末は、アプリケーション識別子とＩＰアドレスの情報とを含む識別情報を受信したことに応じ、ＩＰアドレスの情報を用いて、第１通信端末と所定のアプリケーションに関する通信を行う。このようにすることで、第２通信端末は、第２ユーザが第２通信端末を操作できない場合であっても、第１通信端末との間で直接に、ユーザが所望する多くの情報を送信することができる。
【００３５】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明および本明細書の開示範囲に含まれる。
【００３６】
（通信システム１の構成）
図２は、本実施形態に係る通信システム１の概略構成の一例を示す図である。通信システム１は、第１通信端末２と、第２通信端末３とを含む。
【００３７】
第１通信端末２は、捜索者である第１ユーザによって携帯され、無線ＬＡＮのアクセスポイントとして機能し、所定のアプリケーションを備える通信端末である。所定のアプリケーションは、第２通信端末３に関する情報である端末関連情報を第２通信端末３から直接に受信し、第１通信端末２に表示させるためのアプリケーションである。端末関連情報は、第２通信端末３の位置情報、第２通信端末３の周辺の環境を示す環境情報、第２ユーザの生体情報及び第２通信端末３によって撮影された動画像情報のうちの少なくとも一つを含む情報である。第１通信端末２は、例えば、多機能携帯電話（所謂「スマートフォン」）であるが、携帯電話（所謂「フィーチャーフォン」）又はタブレットＰＣ（Personal Computer）等でもよい。また、第１通信端末２は、所謂「ＩｏＴ（Internet of Things）デバイス」等の専用の通信端末でもよい。
【００３８】
第２通信端末３は、被捜索者である第２ユーザによって携帯され、無線ＬＡＮのステーションとして機能するとともに、第２通信端末３に関する情報である端末関連情報を取得する機能を備える通信端末であり、例えば多機能携帯電話である。第２通信端末３は、携帯電話、携帯ゲーム機、ウェアラブル通信端末等でもよく、専用の通信端末でもよい。
【００３９】
（第１通信端末２の構成）
図３は、第１通信端末２の概略構成の一例を示す図である。第１通信端末２は、第１通信部２１と、第２通信部２２と、第１記憶部２３と、第１操作部２４と、第１表示部２５と、第１音声入出力部２６と、第１処理部２７とを備える。
【００４０】
第１通信部２１は、第１通信端末２を第２通信端末３と通信可能に接続するための、無線ＬＡＮの通信インタフェース回路を備える。第１通信部２１は、第１処理部２７から供給されたデータを第２通信端末３に送信するとともに、第２通信端末３から送信されたデータを受信し、第１処理部２７に供給する。
【００４１】
第２通信部２２は、第１通信部２１とは異なる通信方式の通信インタフェース回路を備える。第２通信部２２が備える通信インタフェース回路は、例えば、ＬＴＥ（Long Term Evolution）等の移動体通信方式の通信インタフェース回路である。
【００４２】
第１記憶部２３は、プログラム又はデータを記憶するためのデバイスであり、例えば、半導体メモリ装置を備える。第１記憶部２３は、第１処理部２７による処理に用いられるオペレーティングシステムプログラム、ドライバプログラム、アプリケーションプログラム、データ等を記憶する。プログラムは、ＣＤ−ＲＯＭ、ＤＶＤ−ＲＯＭ等のコンピュータ読み取り可能な一時的でない可搬型記憶媒体から、公知のセットアッププログラム等を用いて第１記憶部２３に記憶されてもよい。
【００４３】
第１操作部２４は、ユーザによる第１通信端末２に対する操作を受付けるためのデバイスであり、例えば、キーパッド等を備える。第１操作部２４は、後述する第１表示部２５と一体化されたタッチパネルでもよい。第１操作部２４は、ユーザによる文字、数字、記号等の入力操作を受付ける。第１操作部２４は、ユーザによる操作を受付けた場合、その操作に対応する信号を生成し、第１処理部２７に供給する。
【００４４】
第１表示部２５は、画像等を表示するデバイスであり、例えば、液晶ディスプレイや有機ＥＬディスプレイ等を備える。第１表示部２５は、第１処理部２７から供給されるデータに応じた画像等を表示する。
【００４５】
第１音声入出力部２６は、音声の入力を受付けるとともに音声を出力するデバイスであり、例えば、マイク及びスピーカーを備える。第１音声入出力部２６は、入力された音声を電気信号に変換して第１処理部２７に供給するとともに、第１処理部２７から供給された電気信号を音声に変換する。
【００４６】
第１処理部２７は、一又は複数個のプロセッサ及びその周辺回路を備える。第１処理部２７は、例えばＣＰＵ（Central Processing Unit）であり、第１通信端末２の処理を統括的に制御する。なお、第１処理部２７は、ＤＳＰ（Digital Signal Processor）、ＬＳＩ（Large-Scaled IC）、ＡＳＩＣ（Application Specific Integrated Circuit）、ＦＰＧＡ（Field Programmable Gate Array）等でもよい。第１処理部２７は、第１記憶部２３に記憶されているプログラムに基づいて第１通信端末２の各種処理が適切な手順で実行されるように、第１通信部２１、第２通信部２２、第１音声入出力部２６等の動作を制御する。第１処理部２７は、第１記憶部２３に記憶されているプログラムに基づいて処理を実行する。また、第１処理部２７は、複数のプログラムを並列に実行することができる。
【００４７】
第１処理部２７は、取得部２７１と、識別情報送信部２７２と、接続処理部２７３と、割当部２７４と、ユーザ認証部２７５と、関連情報受信部２７６と、出力処理部２７７とを機能ブロックとして備える。これらの各部は、第１処理部２７が実行するプログラムによって実現される機能モジュールである。これらの各部は、ファームウェアとして第１通信端末２に実装されてもよい。
【００４８】
（第２通信端末３の構成）
図４は、第２通信端末３の概略構成の一例を示す図である。第２通信端末３は、第３通信部３１と、第４通信部３２と、第２記憶部３３と、第２操作部３４と、第２表示部３５と、第２音声入出力部３６と、関連情報取得部３７と、第２処理部３８とを備える。第３通信部３１乃至第２音声入出力部３６は、第１通信端末２の第１通信部２１乃至第１音声入出力部２６とそれぞれ同様の構成を備える。また、第２処理部３８は、第１通信端末２の第１処理部２７と同様のハードウェア構成を備える。
【００４９】
関連情報取得部３７は、第２通信端末３に関連する情報を取得するためのデバイスであり、測位部、各種センサ及び撮像部を備える。測位部は、ＧＰＳ（Global Positioning System）等を用いて第２通信端末３の位置情報を生成して第２処理部３８に供給する。各種センサは、脈拍センサ、体温センサ、気圧センサ、温度計等を含み、ユーザの脈拍や体温等の生体情報及び気圧や気温等の周辺環境を示す環境情報を生成して第２処理部３８に供給する。撮像部は、光学レンズ等を介して被写体からの光束を撮像面上に結像させ、結像した被写体像を画像信号として第２処理部３８に供給する。なお、関連情報取得部３７は、近距離無線通信部を備え、脈拍センサ、体温センサ等を備えるウェアラブル端末等の他の端末からユーザの生体情報を取得し、第２処理部３８に供給してもよい。
【００５０】
第２処理部３８は、接続情報設定部３８１と、識別情報受信部３８２と、接続要求部３８３と、ユーザ情報送信部３８４と、関連情報送信部３８５とを備える。これらの各部は、第２処理部３８が実行するプログラムによって実現される機能モジュールである。これらの各部は、ファームウェアとして第２通信端末３に実装されてもよい。
【００５１】
（データ構造）
図５は、第１通信端末２の第１記憶部２３又は第２通信端末３の第２記憶部３３に記憶される各種テーブルのデータ構造の一例を示す図である。
【００５２】
図５（ａ）は、第１記憶部２３に記憶される識別情報テーブルＴ１のデータ構造の一例を示す図である。識別情報テーブルＴ１は、ユーザＩＤと、ＩＰアドレスと、ポート番号と、ＥＳＳＩＤとを関連付けて記憶している。
【００５３】
ユーザＩＤは、通信相手となる第２ユーザを識別する情報である。ＩＰアドレスは、第１通信端末２が無線ＬＡＮを介して第２通信端末３と所定のアプリケーションに関する通信をするために用いる、第１通信端末２のＩＰアドレスである。ポート番号は、第１通信端末２が無線ＬＡＮを介して第２通信端末３と所定のアプリケーションに関する通信をする際に用いる、ＴＣＰ（Transmission Control Protocol）又はＵＤＰ（User Datagram Protocol）のポート番号である。ＥＳＳＩＤは、第１通信端末２によって送信される無線ＬＡＮのビーコンフレームに含まれるＥＳＳＩＤを示す文字列である。ＥＳＳＩＤは、第１通信端末２が所定のアプリケーションを備えることを示すアプリケーション識別子とＩＰアドレスの情報とポート番号の情報とを含む。図５（ａ）に示す例では、アプリケーション識別子は、複数のＥＳＳＩＤに共通の文字列（図５（ａ）の「ａｂｃｄｅｆ」）である。また、ＩＰアドレスの情報は、ＩＰアドレスを１０進数で表記した場合の数字からなる文字列である。また、ポート番号の情報は、ポート番号を１０進数で表記した場合の数字列である。ＩＰアドレスの情報及びポート番号の情報は、１６進表記等の、ＩＰアドレス及びポート番号が識別可能な他の任意の表記による文字列でもよい。なお、ＥＳＳＩＤは、識別情報の一例である。
【００５４】
ユーザＩＤは、第１ユーザによってあらかじめ設定される。ＩＰアドレス及びポート番号は、ユーザＩＤが設定されたことに応じ、自動的に、又は第１ユーザによって設定される。ＥＳＳＩＤは、ＩＰアドレス及びポート番号が設定されたことに応じ、自動的に設定される。なお、ＩＰアドレス、ポート番号及びＥＳＳＩＤは、特定のユーザＩＤに関連付けられなくてもよい。図５（ａ）に示す例では、ユーザＩＤ「ＡＮＹ」に関連付けられているＩＰアドレス、ポート番号及びＥＳＳＩＤは、特定のユーザＩＤに関連付けられていないことを示している。
【００５５】
図５（ｂ）は、第２記憶部３３に記憶される接続条件テーブルＴ２のデータ構造の一例を示す図である。接続情報テーブルＴ２は、接続条件と、確認方法と、ユーザＩＤと、ＥＳＳＩＤと、送信情報とを関連付けて記憶している。
【００５６】
接続条件は、第２通信端末３が識別情報としてＥＳＳＩＤを含むビーコンフレームを受信した場合に、そのＥＳＳＩＤによって示される無線ＬＡＮへの接続を要求するための条件を識別する情報である。図５（ｂ）に示す例では、接続条件として、「常に接続」、「モバイルネットワーク利用不可」、「緊急速報後１時間以内」、「昼の時間帯のみ」又はこれらの組み合わせの何れかが記憶されている。確認方法は、第２通信端末３が無線ＬＡＮへの接続を要求する場合に、第２ユーザの同意を求める方法を識別する情報である。図５（ｂ）に示す例では、確認方法として、「不要」、「はい／いいえ」又は「パスワード」の何れかが記憶されている。ユーザＩＤは、通信相手となる第１ユーザを識別する情報である。ＥＳＳＩＤは、ユーザＩＤによって示される第１ユーザと通信する際に用いられるＥＳＳＩＤの情報である。送信情報は、第２通信端末３が第１通信端末２に送信する端末関連情報の種類を指定する情報である。端末関連情報の種類は、位置情報、環境情報、ユーザの生体情報、画像情報、動画像情報及び音声情報のうちの何れかである。環境情報は、気温、気圧、酸素濃度、煙の有無又は濃度等である。また、画像情報及び動画像情報は可視光に基づくもののほか、サーモグラフィ等でもよい。
【００５７】
接続条件、確認方法、ユーザＩＤ、ＥＳＳＩＤ及び送信情報は、いずれも第２ユーザによってあらかじめ設定される情報である。なお、接続条件、確認方法及び送信情報のみが設定され、ユーザＩＤ及びＥＳＳＩＤが設定されなくてもよい（図５（ｂ）に示すユーザＩＤが「ＡＮＹ」である場合）。この場合、第２通信端末３は、ユーザＩＤ及びＥＳＳＩＤにかかわらず第１通信端末２と通信を行う。
【００５８】
（通信システム１による処理の流れ）
図６及び図７は、第１通信端末２の第１処理部２７及び第２通信端末３の第２処理部３８によって実行される処理の流れを示すシーケンス図である。
【００５９】
まず、図６において、第２通信端末３の接続情報設定部３８１は、接続情報を設定する（Ｓ１０１）。接続情報設定部３８１は、接続情報設定画面を第２表示部３５に表示し、接続情報設定画面において第２ユーザの操作を受付けることにより、接続情報を設定する。接続情報設定画面は、接続条件設定画面８００、確認方法設定画面８１０、接続ユーザ設定画面８２０及び送信情報設定画面８３０を含む。
【００６０】
図８（ａ）は、接続情報設定画面のうちの接続条件設定画面８００の一例を示す図である。接続条件設定画面８００は、第２ユーザの第２操作部３４に対する所定の操作に応じ、第２表示部３５に表示される。所定の操作は、例えば、接続情報を設定するためのアプリケーションプログラムの実行を指示する操作である。
【００６１】
接続条件設定画面８００は、複数の接続条件表示領域８０１と、複数の接続条件指定オブジェクト８０２と、接続条件決定オブジェクト８０３とを含む。接続条件表示領域８０１は、複数の接続条件候補の内容を示すテキストが表示される領域である。接続条件指定オブジェクト８０２は、複数の接続条件候補の何れかを設定される接続条件として指定するためのオブジェクトであり、例えば、チェックボックスである。接続条件決定オブジェクト８０３は、指定されている接続条件候補を設定される接続条件として決定するためのオブジェクトである。
【００６２】
第２ユーザは、接続条件設定画面８００において、接続条件指定オブジェクト８０２を選択することにより、第２通信端末３が第１通信端末２と通信を行うための接続条件候補を指定する。続いて、第２ユーザは、接続条件決定オブジェクト８０３を選択することにより、指定された接続条件候補を設定される接続条件として決定する。
【００６３】
図８（ｂ）は、接続情報設定画面のうちの確認方法設定画面８１０の一例を示す図である。確認方法設定画面８１０は、例えば、接続条件設定画面８００の接続条件決定オブジェクト８０３が選択された後に表示される。
【００６４】
確認方法設定画面８１０は、複数の確認方法表示領域８１１と、複数の確認方法指定オブジェクト８１２と、パスワード入力オブジェクト８１３と、確認方法決定オブジェクト８１４とを含む。確認方法表示領域８１１は、複数の確認方法候補を示すテキストが表示される領域である。確認方法指定オブジェクト８１２は、複数の確認方法候補の何れかを設定される確認方法として指定するためのオブジェクトであり、例えば、ラジオボタンである。パスワード入力オブジェクト８１３は、確認方法として「パスワード」を設定する場合のパスワードを入力するためのオブジェクトであり、例えば、テキストボックスである。確認方法決定オブジェクト８１４は、指定されている確認方法候補を設定される確認方法として決定するためのオブジェクトである。
【００６５】
第２ユーザは、確認方法設定画面８１０において、確認方法指定オブジェクト８１２を選択することにより、第２通信端末３が第１通信端末２と通信を行う際の確認方法候補を指定する。また、第２ユーザは、確認方法として「パスワード」を設定する場合、パスワード入力オブジェクト８１３にパスワードを入力する。続いて、第２ユーザは、確認方法決定オブジェクト８１４を選択することにより、指定された確認方法候補を設定される確認方法として決定する。
【００６６】
図８（ｃ）は、接続情報設定画面のうちの接続ユーザ設定画面８２０の一例を示す図である。接続ユーザ設定画面８２０は、例えば、確認方法設定画面８１０の確認方法決定オブジェクト８１４が選択された後に表示される。
【００６７】
接続ユーザ設定画面８２０は、接続ユーザ表示領域８２１と、接続ユーザ指定オブジェクト８２２と、接続ユーザ入力オブジェクト８２３と、接続ユーザ決定オブジェクト８２４とを含む。接続ユーザ表示領域８２１は、複数の接続ユーザ候補のユーザＩＤを示すテキストが表示される領域である。接続ユーザ候補は、ユーザＩＤに対応するＥＳＳＩＤが第２記憶部３３に記憶されている第１ユーザであり、例えば、そのユーザＩＤが接続情報テーブルＴ２に記憶されたことがある第１ユーザである。接続ユーザ指定オブジェクト８２２は、複数の接続ユーザ候補の何れかを設定される接続ユーザとして指定するためのオブジェクトであり、例えば、チェックボックスである。接続ユーザ入力オブジェクト８２３は、接続ユーザ候補に含まれない第１ユーザを接続ユーザ候補に追加するための接続ユーザ追加画面を表示するためのオブジェクトである。接続ユーザ決定オブジェクト８２４は、指定されている接続ユーザ候補を設定される接続ユーザとして決定するためのオブジェクトである。
【００６８】
第２ユーザは、接続ユーザ設定画面８２０において、接続ユーザ指定オブジェクト８２２を選択することにより、第２通信端末３の通信相手となる接続ユーザ候補を指定する。また、第２ユーザは、接続ユーザ入力オブジェクト８２３を選択し、図示しない接続ユーザ追加画面で新たな第１ユーザのユーザＩＤ及び対応するＥＳＳＩＤを入力することにより、入力された第１ユーザを接続ユーザ候補に追加する。続いて、第２ユーザは、接続ユーザ決定オブジェクト８２４を選択することにより、指定された接続ユーザ候補を設定される接続ユーザとして決定する。
【００６９】
なお、新たな第１ユーザのＥＳＳＩＤは、第２通信端末３によって図示しないサーバから取得されてもよい。この場合、サーバには、第１通信端末２によってあらかじめ第１ユーザのユーザＩＤとＥＳＳＩＤが関連付けて記憶されている。そして、第２通信端末３は、新たな第１ユーザのユーザＩＤが入力されたことに応じ、第４通信部３２を介して入力されたユーザＩＤに関連付けられたＥＳＳＩＤの送信をサーバに要求する。続いて、第２通信端末３は、ＥＳＳＩＤをサーバから受信することによって、ＥＳＳＩＤを取得する。
【００７０】
図８（ｄ）は、接続情報設定画面のうちの送信情報設定画面８３０の一例を示す図である。送信情報設定画面８３０は、例えば、接続ユーザ設定画面８２０の接続ユーザ決定オブジェクト８２４が選択された後に表示される。
【００７１】
送信情報設定画面８３０は、送信情報表示領域８３１と、送信情報指定オブジェクト８３２と、送信情報決定オブジェクト８３３とを含む。送信情報表示領域８３１は、複数の送信情報候補の種類を示すテキストが表示される領域である。送信情報指定オブジェクト８３２は、複数の送信情報候補の何れかを設定される送信情報として指定するためのオブジェクトであり、例えば、チェックボックスである。送信情報決定オブジェクト８３３は、指定されている送信情報候補を設定される送信情報として決定するためのオブジェクトである。
【００７２】
第２ユーザは、送信情報設定画面８３０において、送信情報指定オブジェクト８３２を選択することにより、第２通信端末３が端末関連情報として第１通信端末２に送信する情報の種類を示す送信情報候補を指定する。続いて、第２ユーザは、送信情報決定オブジェクト８３３を選択することにより、指定された送信情報候補を設定される送信情報として決定する。
【００７３】
第２通信端末３は、決定された接続条件、確認方法、接続ユーザ及び送信情報並びに接続ユーザに対応するＥＳＳＩＤを関連付けて接続情報テーブルＴ２に記憶することにより、接続情報を設定する。
【００７４】
なお、接続情報の設定は、上述した接続情報設定画面によらなくてもよい。例えば、第２通信端末３は撮像部を備え、第１通信端末２の第１表示部２５に表示された接続情報を撮像することによって接続情報を取得し、設定してもよい。この場合、接続情報は、文字列又は二次元コード等の画像として表示される。そして、第２通信端末３は、撮像した画像に公知の文字認識技術又は画像解析技術を用いることで接続情報を取得する。このようにすることで、第２ユーザは面識がある第１ユーザの接続情報を容易に設定することが可能となり、ユーザの利便性及びセキュリティが向上する。なお、この場合、第１通信端末２は接続情報の一部（例えば、ＥＳＳＩＤ、又はＥＳＳＩＤ及び送信情報）のみを表示してもよい。このようにすることで、第２ユーザは接続条件及び確認方法を自身で設定することとなるため、セキュリティが向上する。
【００７５】
図６に戻り、第１通信端末２の取得部２７１は、識別情報の送信指示を取得する（Ｓ１０２）。例えば、取得部２７１は、第１ユーザの第１操作部２４に対する操作に応じて、第２ユーザのユーザＩＤを含む送信指示を取得する。取得部２７１は、特定の第２ユーザのユーザＩＤを含まない送信指示を取得してもよい。
【００７６】
続いて、識別情報送信部２７２は、識別情報を無線により送信する（Ｓ１０３）。識別情報送信部２７２は、送信指示が取得されたことに応じ、識別情報テーブルＴ２を参照し、取得された送信指示に含まれるユーザＩＤに関連付けられたＥＳＳＩＤを特定する。続いて、識別情報送信部２７２は、特定したＥＳＳＩＤを識別情報として含む無線ＬＡＮのビーコンフレームを送信する。
【００７７】
なお、特定のユーザＩＤを含まない送信指示が取得された場合、識別情報送信部２７２は、識別情報テーブルＴ２を参照し、特定のユーザＩＤに関連付けられていない（図５（ａ）において「ＡＮＹ」のユーザＩＤに関連付けられた）ＥＳＳＩＤを特定する。
【００７８】
続いて、第２通信端末３の識別情報受信部３８２は、識別情報を無線により受信する（Ｓ１０４）。識別情報受信部３８２は、第３通信部３１を介して、無線ＬＡＮのビーコンフレームを受信する。続いて、識別情報受信部３８２は、受信したビーコンフレームに含まれるＥＳＳＩＤを取得することにより、識別情報を受信する。
【００７９】
続いて、接続要求部３８３は、識別情報が受信されたことに応じ、第１通信端末２に無線ＬＡＮによる接続を要求する（Ｓ１０５）。接続要求部３８３は、受信したビーコンフレームに含まれていたＥＳＳＩＤ（接続先ＥＳＳＩＤ）に対する接続を要求する。
【００８０】
まず、接続要求部３８３は、接続先ＥＳＳＩＤに対する接続条件が満たされているか否かを判定する。接続要求部３８３は、接続情報テーブルＴ２を参照し、接続先ＥＳＳＩＤに関連付けられている接続条件を特定する。続いて、接続要求部３８３は、特定した接続条件が満たされているか否かを判定する。特定した接続条件が満たされていると判定された場合、接続要求部３８３は、接続先ＥＳＳＩＤに対する接続条件が満たされていると判定する。
【００８１】
例えば、特定した接続条件が「昼の時間帯のみ」である場合、接続要求部３８３は、図示しない計時部から現在の時刻を取得する。取得した時刻があらかじめ「昼の時間帯」として定められた時間帯に含まれる場合、接続要求部３８３は、接続条件が満たされると判定する。
【００８２】
また、特定した接続条件が「緊急速報後１時間以内」である場合、接続要求部３８３は、最新に受信した緊急速報を第２記憶部３３から取得する。取得した緊急速報の受信時刻と現在の時刻との差が１時間以内である場合、接続要求部３８３は、接続条件が満たされると判定する。緊急速報は、例えば、ＥＴＷＳによって配信された情報のうち、所定のメッセージ識別子（例えば、地震又は津波の警報に対応するメッセージ識別子）を有するものである。
【００８３】
また、特定した接続条件が「モバイルネットワーク利用不可」である場合、接続要求部３８３は、第１通信端末２が移動体通信方式による通信を利用可能であるか否かを判定する。接続要求部３８３は、第４通信部３２から移動体通信方式の通信状況を取得する。取得した通信状況が「圏外」である場合、接続要求部３８３は、接続条件が満たされると判定する。なお、接続要求部３８３は、第４通信部３２から電波の電界強度を取得し、取得した電界強度が所定値を下回る場合に接続条件が満たされると判定してもよい。なお、移動体通信方式は、無線ＬＡＮとは異なる他の通信方式の一例である。
【００８４】
また、特定した接続条件が「いつでも」である場合、接続要求部３８３は、接続条件が満たされると判定する。
【００８５】
なお、接続情報テーブルＴ２に接続先ＥＳＳＩＤが記憶されていない場合、接続要求部３８３は、特定のＥＳＳＩＤに関連付けられていない接続条件（図５（ｂ）において、「ＡＮＹ」のＥＳＳＩＤに関連付けられている接続条件）を特定してもよい。
【００８６】
また、接続先ＥＳＳＩＤに複数の接続条件が関連付けられている場合、接続要求部３８３は、複数の接続条件のうちの何れかの接続条件が満たされた場合に、接続先ＥＳＳＩＤに対する接続条件が満たされていると判定する。また、接続要求部３８３は、複数の接続条件の全てが満たされた場合に、接続先ＥＳＳＩＤに対する接続条件が満たされたと判定してもよい。
【００８７】
接続条件が満たされたと判定された場合、接続要求部３８３は、第１通信端末２に接続を要求することについての第２ユーザの同意を取得する。接続要求部３８３は、接続情報テーブルＴ２を参照し、接続先ＥＳＳＩＤに関連付けられた確認方法を特定する。続いて、接続要求部３８３は、特定した確認方法に応じた確認画面を第２表示部３５に表示し、確認画面に対する第２ユーザの操作を受付けることにより、第２ユーザの同意を取得する。なお、特定した確認方法が「確認不要」である場合、接続要求部３８３は、第２ユーザの同意を取得したものとする。
【００８８】
図９（ａ）は、確認画面のうちの第１確認画面９００の一例を示す図である。第１確認画面９００は、特定された確認方法が「はい／いいえ」である場合に表示される。第１確認画面９００は、接続先を表示する接続先表示領域９０１と、同意オブジェクト９０２と、不同意オブジェクト９０３とを含む。第２ユーザが同意オブジェクト９０２を選択した場合、第２ユーザの同意が取得される。第２ユーザが不同意オブジェクト９０３を選択した場合、第２ユーザの同意は取得されない。
【００８９】
図９（ｂ）は、確認画面のうちの第２確認画面９１０の一例を示す図である。第２確認画面は、特定された確認方法が「パスワード」である場合に表示される。第２確認画面９１０は、接続先表示領域９１１と、パスワード入力オブジェクト９１２と、決定オブジェクト９１３とを含む。第２ユーザが決定オブジェクト９１３を選択したときにパスワード入力オブジェクト９１２に入力されているパスワードと接続情報テーブルＴ２に記憶されているパスワードとが同一である場合、第２ユーザの同意が取得される。パスワードが同一でない場合、第２ユーザの同意は取得されない。なお、パスワードが同一でない場合、第２ユーザにパスワードの再入力を促してもよい。
【００９０】
図６に戻り、第２ユーザの同意が取得された場合、接続要求部３８３は、第３通信部３１を介して、接続先ＥＳＳＩＤを含むアソシエーション要求フレームを第１通信端末２に送信することにより、第１通信端末２に無線ＬＡＮによる接続を要求する。なお、接続要求部３８３は、アソシエーション要求フレームを送信する前に、認証（Authentication）要求フレームを第１通信端末２に送信し、認証応答フレームを第１通信端末２から受信する認証処理を実行してよい。
【００９１】
なお、接続条件が満たされないと判定された場合、又は、第２ユーザの同意が取得されない場合、Ｓ１０２に戻る。
【００９２】
続いて、第１通信端末２の接続処理部２７３は、第２通信端末３からの要求に応じ、第２通信端末３を無線ＬＡＮに接続させる（Ｓ１０６）。接続処理部２７３は、アソシエーション要求フレームを受信したことに応じ、第１通信部２１を介して、アソシエーション応答フレームを第２通信端末３に送信することにより、第２通信端末３を接続先ＥＳＳＩＤによって示される無線ＬＡＮに接続させる。
【００９３】
続いて、割当部２７４は、第２通信端末３にＩＰアドレスを割り当てる（Ｓ１０７）。割当部２７４は、識別情報テーブルＴ１を参照し、接続先ＥＳＳＩＤに関連付けられたＩＰアドレス（接続先ＩＰアドレス）を特定する。続いて、割当部２７４は、特定したＩＰアドレスと同一のサブネットに属し、特定したＩＰアドレスとは異なるＩＰアドレスを決定する。続いて、割当部２７４は、ＤＨＣＰ（Dynamic Host Configuration Protocol）等の公知の技術を用いて、決定したＩＰアドレスを第２通信端末３に割り当てる。
【００９４】
図７に進み、第２通信端末３のユーザ情報送信部３８４は、ＩＰアドレスが割当てられたことに応じ、接続先ＥＳＳＩＤに含まれるＩＰアドレスの情報とポート番号の情報とを用いて第２ユーザのユーザＩＤを送信する（Ｓ２０１）。ユーザ情報送信部３８４は、接続先ＥＳＳＩＤに含まれるＩＰアドレスの情報に基づいて、接続先ＩＰアドレスを特定する。また、ユーザ情報送信部３８４は、接続先ＥＳＳＩＤに含まれるポート番号の情報によって示されるポート番号（接続先ポート番号）を特定する。ユーザ情報送信部３８４は、第２記憶部３３に記憶された第２ユーザのユーザＩＤを取得し、第３通信部３１を介して、特定した接続先ＩＰアドレスの接続先ポート番号に対して送信する。
【００９５】
続いて、第１通信端末２のユーザ認証部２７５は、受信した第２ユーザのユーザＩＤを認証する（Ｓ２０２）。ユーザ認証部２７５は、取得部２７１が取得した送信指示に含まれていたユーザＩＤと受信した第２ユーザのユーザＩＤとが一致するか否かを判定する。一致すると判定された場合、ユーザ認証部２７５は、ユーザ認証成功通知を第２通信端末３に送信する。一致しないと判定された場合、ユーザ認証部２７５は、第２通信端末３を無線ＬＡＮから切断し、Ｓ１０３に戻る。なお、送信指示にユーザＩＤが含まれていなかった場合、ユーザ認証部２７５は、ユーザ認証成功通知を第２通信端末３に送信する。
【００９６】
続いて、第２通信端末３の関連情報送信部３８５は、端末関連情報として送信可能な情報の種類を特定する（Ｓ２０３）。関連情報送信部３８５は、接続情報テーブルＴ２を参照し、接続先ＥＳＳＩＤに関連付けられた送信情報を特定する。関連情報送信部３８５は、特定した送信情報に含まれる情報の種類を端末関連情報として送信可能な情報の種類として第１通信端末２に送信する。
【００９７】
続いて、第１通信端末２の関連情報受信部２７６は、端末関連情報の種類を決定する（Ｓ２０４）。関連情報受信部２７６は、第１記憶部２３に記憶された、第１通信端末２が受信可能な情報の種類を特定する。例えば、関連情報受信部２７６は、第１記憶部に位置情報表示アプリケーションのアプリケーションプログラムが記憶されている場合、位置情報を受信可能な情報の種類として特定する。また、関連情報受信部２７６は、第１記憶部に生体情報表示アプリケーションのアプリケーションプログラムが記憶されている場合、生体情報を受信可能な情報の種類として特定する。続いて、関連情報受信部２７６は、第２通信端末３が送信可能な情報の種類に含まれ、且つ、第１通信端末２が受信可能な情報の種類に含まれる情報の種類を端末関連情報の種類として決定する。関連情報受信部２７６は、第１通信部２１を介して、決定した端末関連情報の種類を第２通信端末３に送信する。なお、関連情報受信部２７６が決定する端末関連情報の種類は、複数でもよい。
【００９８】
続いて、第２通信端末３の関連情報送信部３８５は、端末関連情報を取得する（Ｓ２０５）。関連情報送信部３８５は、第１通信端末２から受信した種類の端末関連情報を、第２音声入出力部３６又は関連情報取得部３７を制御して取得する。
【００９９】
例えば、関連情報送信部３８５は、第２音声入出力部３６を制御して、音声情報を取得する。また、関連情報送信部３８５は、関連情報取得部３７に含まれる撮像部を制御して、動画像情報を取得する。また、関連情報送信部３８５は、関連情報取得部３７に含まれる各種センサを制御して、第２通信端末３の位置情報、第２通信端末３のユーザの脈拍や体温等の生体情報、及び、第２通信端末３の周辺の気温や気圧等の環境情報を取得する。
【０１００】
関連情報送信部３８５は、第３通信部３１を介して、取得した端末関連情報を接続先ＩＰアドレスの接続先ポート番号に対して送信する。第１通信端末２の関連情報受信部２７６は、第１通信部２１を介して、端末関連情報を第２通信端末３から受信する。なお、関連情報送信部３８５は、複数の種類の端末関連情報を並行して送信してよい。また、関連情報送信部３８５及び関連情報受信部２７６は、通信処理部の一例である。
【０１０１】
続いて、出力処理部２７７は、受信した端末関連情報を出力し（Ｓ２０６）、一連の処理を終了する。出力処理部２７７は、第１音声入出力部２６を制御して、端末関連情報に含まれる音声情報を音声信号として出力する。また、出力処理部２７７は、端末関連情報に含まれる位置情報、生体情報及び環境情報を含む端末関連情報表示画面を第１表示部２５に表示する。
【０１０２】
図１０（ａ）は、第１表示部２５に表示される端末関連情報表示画面の一例を示す図である。端末関連情報表示画面１０００は、地図画像１００１と、位置表示オブジェクト１００２とを含む。位置表示オブジェクト１００２は、端末関連情報に含まれる位置情報が示す第２通信端末３の地図画像１００１における位置を示すオブジェクトである。なお、位置情報表示画面には、第１通信端末２の位置を示すオブジェクトが含まれてもよい。
【０１０３】
図１０（ｂ）は、第１表示部２５に表示される端末関連情報表示画面の他の一例を示す図である。端末関連情報表示画面１０１０は、接続先ユーザ情報表示領域１０１１と、端末関連情報表示領域１０１２とを含む。接続先ユーザ情報表示領域１０１１は、第２ユーザのユーザＩＤを表示する領域である。端末関連情報表示領域１０１２は、端末関連情報に含まれる生体情報、環境情報等を表示する領域である。
【０１０４】
以上説明したように、本実施形態に係る第１通信端末２は、アプリケーション識別子と第１通信端末２のＩＰアドレスの情報とを含む識別情報を無線により送信し、第２通信端末３を無線ＬＡＮに接続させ、所定のアプリケーションに関する通信を行う。このようにすることで、第１通信端末２は、ＩＰによる通信を確立することができ、第２通信端末３との間で直接に、ユーザが所望する多くの情報を受信することを可能とする。
【０１０５】
また、第１通信端末２は、識別情報としてＥＳＳＩＤを含むビーコンフレームを送信し、第２通信端末３をビーコンフレームに含まれるＥＳＳＩＤによって示される無線ＬＡＮに接続させる。このようにすることで、第１通信端末２は、第２通信端末３がビーコンフレームを受信した時点で所定のアプリケーションに関する通信が可能な第１通信端末２を発見することを可能とし、より円滑にユーザが所望する情報を送受信することを可能とする。
【０１０６】
また、識別情報は、通信端末が所定のアプリケーションに関する情報を受信するためのポート番号をさらに含む。このようにすることで、第１通信端末２は、第２ユーザ毎に異なるポート番号を割り当てることを容易にする。
【０１０７】
また、所定のアプリケーションは、位置情報、環境情報、第２ユーザの生体情報及び動画像情報の少なくとも一つの情報を含む端末関連情報を第１通信端末２に表示させるためのアプリケーションである。このようにすることで、第１通信端末２は、第１ユーザに第２ユーザの位置や周辺環境、健康状態などを把握させ、救助や安否確認を円滑に進めることを支援する。
【０１０８】
また、第１通信端末２は、無線ＬＡＮとは異なる他の通信方式による通信を利用可能であるか否かを判定し、他の通信方式による通信が利用可能でないと判定された場合、識別情報を送信してもよい。このようにすることで、第１通信端末２は、他の通信方式が利用できないときに無線ＬＡＮによる通信に速やかに移行し、ユーザが所望するデータの送受信をすることを可能とする。
【０１０９】
また、本実施形態に係る第２通信端末３は、アプリケーション識別子と第１通信端末２のＩＰアドレスの情報とを含む識別情報を受信したことに応じ、ＩＰアドレスの情報を用いて、第１通信端末２と所定のアプリケーションに関する通信を行う。このようにすることで、第２通信端末３は、第２ユーザが第２通信端末３を操作できない場合であっても、ユーザが所望する多くの情報を送信することができる。
【０１１０】
なお、第２通信端末３は第２ユーザによって携帯される端末ではなく、建物等の設備に固定的に設置される端末（例えば、通信機能を備える監視カメラや各種センサ等）でもよい。このようにすることで、第１通信端末２は第２通信端末３が設置された場所の環境情報を第２通信端末３から直接に取得することができ、第１ユーザは緊急時に適切な判断が可能となる。例えば、震災によりエレベータ等への閉じ込め事故が多数発生したときに、捜索者である第１ユーザは、酸素濃度やサーモグラフィ等の情報に基づいて捜索個所の優先度を適切に決定することができる。また、火災現場において、第１ユーザが現場の気温や酸素濃度、煙の発生状況等を知ることで、壁やドアの向こうの燃焼状態やバックドラフトの危険性等を予測して適切な行動をとることができる。
【０１１１】
（変形例１）
上述した説明では、第１通信端末２は、ユーザによる送信指示を取得したが、これに限られない。第１通信端末２は、所定の送信条件が満たされた場合に、ユーザによる送信指示を取得することなく識別情報を送信してもよい。
【０１１２】
この場合、第１記憶部２３の識別情報テーブルＴ１に記憶されたＥＳＳＩＤに、送信条件をさらに関連付けて記憶する。送信条件は、例えば、「緊急速報後１時間以内」又は「モバイルネットワーク利用不可」等である。
【０１１３】
また、図６のＳ１０２において、第１通信端末２は、識別情報テーブルＴ１に記憶された送信条件が満たされたか否かを判定する。送信条件が満たされたと判定した場合、第１通信端末２は、満たされた送信条件に関連付けられたユーザＩＤを特定する。
【０１１４】
続いて、Ｓ１０３において、識別情報送信部２７２は、識別情報テーブルＴ２を参照し、特定されたユーザＩＤに関連付けられたＥＳＳＩＤを特定する。続いて、識別情報送信部２７２は、特定したＥＳＳＩＤを識別情報として含む無線ＬＡＮのビーコンフレームを送信する。
【０１１５】
このようにすることで、第１通信端末２は、ユーザによる送信指示を待たずに第２通信端末３との間で所望のデータを送受信することを可能とする。
【０１１６】
（変形例２）
上述した説明では、第２通信端末３は、無線ＬＡＮによる接続を要求する前に第２ユーザの同意を取得したが、これに限られない。第２通信端末３は、所定のアプリケーションに関する通信を行う前に第２ユーザの同意を取得してもよい。
【０１１７】
この場合、第２通信端末３は、図７のＳ２０１又はＳ２０３の前に、第１通信端末２から第１ユーザのユーザＩＤを取得する。続いて、第２通信端末３は、図９に示した確認画面を第２表示部３５に表示することにより、取得したユーザＩＤが示す第１ユーザの第１通信端末２と通信することについての第２ユーザの同意を取得する。
【０１１８】
このようにすることで、第１通信端末２が識別情報として送信するＥＳＳＩＤが接続情報テーブルＴ２にあらかじめ記憶されていない場合であっても、第２通信端末３は、所望の第１ユーザの第１通信端末２と通信することができる。例えば、第２通信端末３は、接続情報テーブルＴ２において、「常に接続」の接続条件に、特定のＥＳＳＩＤを関連付けずに記憶することにより、任意のＥＳＳＩＤに接続を要求するようになる。そして、ＥＳＳＩＤに接続された後に、第２ユーザは、通信相手となる第１ユーザのユーザＩＤを確認したうえで、通信することに同意するか否かを判断することができる。
【０１１９】
（変形例３）
上述した説明では、第１通信端末２の関連情報受信部２７６が端末関連情報の種類を決定したが、これに限られない。端末関連情報の種類は、あらかじめ決定されなくてもよい。この場合、図７においてＳ２０３とＳ２０４は実行されない。そして、Ｓ２０５において、第２通信端末３の関連情報送信部３８５は、第２通信端末３が取得可能な任意の種類の端末関連情報を取得し、第１通信端末２に送信する。この場合において、第１通信端末２が送信された種類の端末関連情報を受信可能である場合、Ｓ２０６において出力処理部２７７は受信した端末関連情報を出力する。
【０１２０】
このようにすることで、あらかじめ送信情報として設定されていない種類の端末関連情報を送信できる可能性が生じるため、緊急時等における利便性が向上する。なお、第１通信端末２が送信された種類の端末関連情報を受信可能でない場合、第１通信端末２は受信可能でないことを示す応答を第２通信端末３に送信してもよい。また、応答を受信した第２通信端末３は、受信可能でないと示された種類の端末関連情報の取得及び送信を中止してもよい。
【０１２１】
（変形例４）
上述した説明では、第２通信端末３が端末関連情報を送信し、第１通信端末２が端末関連情報を受信するものとしたが、これに限られない。例えば、第１通信端末２が端末関連情報を送信し、第２通信端末３が端末関連情報を受信するものとしてもよい。
【０１２２】
この場合、第１記憶部２３に接続条件テーブルＴ２が記憶され、第２記憶部３３に識別情報テーブルＴ１が記憶される。また、Ｓ１０１、Ｓ１０４及びＳ１０５が第１通信端末２によって実行され、Ｓ１０２、Ｓ１０３、Ｓ１０６及びＳ１０７が第２通信端末３によって実行される。
【０１２３】
このようにすることで、被捜索者である第１ユーザが捜索者である第２ユーザに対して能動的に安否確認または救助を求めることが可能となる。
【０１２４】
また、第１通信端末２と第２通信端末３との何れもが端末関連情報を送信するものとしてもよい。
【０１２５】
この場合、所定のアプリケーションは、例えば、第２通信端末３との音声通信を第１通信端末２に行わせるための音声通話アプリケーションである。そして、第１通信端末２と第２通信端末３とは、音声通信に係る音声情報を互いに他の通信端末と送受信する。例えば、第２通信端末３は、Ｓ２０５において、端末関連情報として音声情報を取得し、第１通信端末２に送信する。また、第１通信端末２は、Ｓ２０６の前後に、又はＳ２０６と並行して、第１音声入出力部２６を介して、音声情報を取得し、取得した音声情報を第２通信端末３に送信する。なお、所定のアプリケーションは、第２通信端末３とのビデオ通話を第１通信端末２に行わせるためのビデオ通話アプリケーションでもよい。
【０１２６】
このようにすることで、例えば、第２ユーザが第１ユーザに救助を依頼する場合等において、第１ユーザと第２ユーザとの意思疎通が可能となり、円滑な救助が可能となる。
【０１２７】
当業者は、本発明の精神および範囲から外れることなく、様々な変更、置換及び修正をこれに加えることが可能であることを理解されたい。例えば、上述した各部の処理は、本発明の範囲において、適宜に異なる順序で実行されてもよい。また、上述した実施形態及び変形例は、本発明の範囲において、適宜に組み合わせて実施されてもよい。
【符号の説明】
【０１２８】
２    第１通信端末
２１    第１通信部
２２    第２通信部
２３    第１記憶部
２４    第１操作部
２５    第１表示部
２６    第１音声入出力部
２７１    取得部
２７２    識別情報送信部
２７３    接続処理部
２７４    割当部
２７５    ユーザ認証部
２７６    関連情報受信部
２７７    出力処理部
３    第２通信端末
３１    第３通信部
３２    第４通信部
３３    第２記憶部
３４    第２操作部
３５    第２表示部
３６    第２音声入出力部
３７    関連情報取得部
３８１    接続情報設定部
３８２    識別情報受信部
３８３    接続要求部
３８４    ユーザ情報送信部
３８５    関連情報送信部
【図１】
2020150511.tif 000003
【図２】
2020150511.tif 000004
【図３】
2020150511.tif 000005
【図４】
2020150511.tif 000006
【図５】
2020150511.tif 000007
【図６】
2020150511.tif 000008
【図７】
2020150511.tif 000009
【図８】
2020150511.tif 000010
【図９】
2020150511.tif 000011
【図１０】
2020150511.tif 000012